(57)【特許請求の範囲】
【請求項１】
二対以上のＣｈ１・Ｃｈ２導子（６）・（１４）を、人体患部における通電路が互いに交差するように該人体表面に装着し、前記二対以上のＣｈ１・Ｃｈ２導子（６）・（１４）から出力される搬送波の周波数を互いに異なる周波数とし、搬送波の周波数の差に相当する干渉刺激を体内に生じさせ、更に、前記搬送波に振幅変調を行い、振幅変調による刺激を体内に生じさせる干渉低周波治療器（１７）において、前記振幅変調の変調周波数を二対以上のＣｈ１・Ｃｈ２導子（６）・（１４）で互いに異なる周波数に各変調用発振周波数設定器で設定し、前記振幅変調周波数の差による刺激を体内に生じさせることを特徴とする多重刺激式干渉低周波治療器。
【請求項２】
二対以上のＣｈ１・Ｃｈ２導子（６）・（１４）から出力される搬送波の周波数の差と、前記搬送波に係る各振幅変調の変調周波数とを異なる周波数に設定することを特徴とする請求項１記載の多重刺激式干渉低周波治療器。
【請求項３】
二対以上のＣｈ１・Ｃｈ２導子（６）・（１４）から出力される搬送波の周波数の差と、前記振幅変調周波数の差が異なるように前記振幅変調周波数を設定することを特徴とする請求項１又は２記載の多重刺激式干渉低周波治療器。
【発明の詳細な説明】
【０００１】
【産業上の利用分野】
本発明は、人体患部に互いに交叉させた二つ又は複数の中周波電流通電を行ない、二つの中周波電流の周波数の差に相当する刺激（＝干渉刺激）を二つの中周波電流の交叉部位に生じさせ、当該干渉刺激を付加する干渉低周波治療器に関する。
【０００２】
干渉低周波治療器は、複数の周波数１KHｚ乃至１０ＫＨｚ程度の電流を体内に流し、この周波数の差によって体内に生じる干渉電流を刺激に応用したものであり、通常は２組の導子によって実施される。この干渉電流の周波数を３Ｈｚ〜１００Ｈｚ程度とすることで、人が知覚し得る低周波刺激を患部（＝人体内）に与えることが出来る。
【０００３】
干渉刺激は、複数組の中周波電流の差により生じ、複数組の電流が交叉する部位で干渉刺激を発生する。従来の低周波治療器が電極直下で刺激を生じさせる点に対し、干渉低周波治療器は体内へ干渉刺激を与えることが出来るという特長を持つ。この特長は特に膝関節など深部刺激が必要とされる部位への治療に適する。
【０００４】
更に、周波数１KHｚ乃至１０ＫＨｚ程度の中周波電流を用いるため、皮膚インピーダンスの影響を受けにくく、電流が体内に流れ易く、電極部での不快感が少ないという特長も併せ持つ。
【０００５】
【従来の技術】
従来技術の特開平８−１１２３６２号公報には、制御部は周波数設定機能を備え、搬送波設定ツマミ、ディスタンス設定ツマミ及びバランス調整ツマミが設けられて成る「干渉低周波治療器」が開示されている。該干渉低周波治療器は、搬送波の周波数の任意な変更により人体患部における干渉波発生位置の深さを変更できるものである。
【０００６】
また、従来技術の特開平１０−８５３４２号公報には、ベクトル移動機能（＝甲乙出力回路の電流値を増減させることにより体内に生じるベクトルを移動させる機能）、ベクトル移動時間設定器、及び、ベクトル角度設定器を設けて成る「ベクトル干渉波治療器」が開示されている。
【０００７】
【発明が解決しようとする課題】
前掲の特開平８−１１２３６２号公報のものは、前述のような干渉低周波治療器の一般的特長を有している反面、２組または複数組の中周波電流の交叉部位でのみ干渉刺激が生じるため、刺激部位は局所的なものとなり、又、干渉刺激が単調となり、快適な治療を得ることは期待できないという欠点も有している。
【０００８】
又、前記特開平１０−８５３４２号公報には、単調さに対する一解決法として、ベクトル移動時間設定器とベクトル角度設定器により甲乙回路の電流を規則的に増減させる構成作用を挙げ、この構成作用によれば体内に生じる刺激強度分布を調節できるとしているが、刺激となる周波数は甲乙回路による干渉刺激のみであり、単調な刺激であることには変わりなく、不都合であった。
【０００９】
更に、甲乙回路のベクトル移動のためには電流をゆっくり増減させなければならないが、一方の電流が減少すると全体の刺激感が低下するという問題が発生する。これを防ぐために他方の電流値を増加させる等の手段を講じる必要があり、電極から出力される電流密度の増加により、皮膚に損傷を与えることが懸念され、不都合であった。
【００１０】
本発明の目的は、人体患部に継続的に、心地よく新鮮な干渉刺激を広範囲に付与でき、安全且つ快適で満足のいく干渉刺激のできる多重刺激式干渉低周波治療器を提供することにある。
【００１１】
【課題を解決するための手段】
即ち本発明は、  二対以上のＣｈ１・Ｃｈ２導子（６）・（１４）を、人体患部における通電路が互いに交差するように該人体表面に装着し、前記二対以上のＣｈ１・Ｃｈ２導子（６）・（１４）から出力される搬送波の周波数を互いに異なる周波数とし、搬送波の周波数の差に相当する干渉刺激を体内に生じさせ、更に、前記搬送波に振幅変調を行い、振幅変調による刺激を体内に生じさせる干渉低周波治療器（１７）において、前記振幅変調の変調周波数を二対以上のＣｈ１・Ｃｈ２導子（６）・（１４）で互いに異なる周波数に各変調用発振周波数設定器で設定し、前記振幅変調周波数の差による刺激を体内に生じさせることを特徴とする多重刺激式干渉低周波治療器である。
又、二対以上のＣｈ１・Ｃｈ２導子（６）・（１４）から出力される搬送波の周波数の差と、前記搬送波に係る各振幅変調の変調周波数とを異なる周波数に設定し、前記振幅変調周波数の差による刺激も体内に生じさせる。
更に、二対以上のＣｈ１・Ｃｈ２導子（６）・（１４）から出力される搬送波の周波数の差と、前記振幅変調周波数の差が異なるように前記振幅変調周波数を設定し、前記振幅変調周波数の差による刺激も体内に生じさせる。
【００１２】
【作用】
干渉低周波治療器１７において、人体表面に装着した二対以上の導子６・１４から出力する複数の搬送波の周波数に差を設け、患部に干渉刺激を付与する。
更に、複数の前記搬送波に振幅変調を加え、当該振幅変調による刺激を体内に生じさせ、併せ付与する。
【００１３】
人体表面に装着する二対以上の導子６・１４から出力する一つの搬送波に振幅変調を加え、当該振幅変調による刺激を前記導子６・１４を介して患部に付与する。前記各振幅変調波の周波数を互いに異なった周波数に設定する。
【００１４】
前記導子６・１４から出力する複数の搬送波の差の周波数と、複数の前記搬送波に係る振幅変調の変調周波数とを異なる周波数に設定する。
【００１６】
【実施例】
本発明実施例の干渉低周波治療器１７は、互いに別個の電源であるＣｈ１電源１９とＣｈ２電源２０とによって、人体に患部で交叉する様に中周波電流Ａ、Ｂを流す。中周波電流ＡとＢは周波数が異なるため、その周波数の差の干渉電流が患部に生じ、これが干渉刺激となる。
【００１７】
実施例の干渉低周波治療器１７のＣｈ１電源１９は、Ｃｈ１搬送波発振周波数設定ツマミ１と、Ｃｈ１搬送波発振器２と、Ｃｈ１掛算回路３と、Ｃｈ１増幅回路４と、Ｃｈ１出力トランス５と、Ｃｈ１導子６とが順次接続されて構成される。
前記Ｃｈ１掛算回路３には、Ｃｈ１変調用発振周波数設定ツマミ７が接続されたＣｈ１振幅変調用発振器８が追加して接続される。
【００１８】
Ｃｈ２電源２０は、Ｃｈ２搬送波発振周波数設定ツマミ９と、Ｃｈ２搬送波発振器１０と、Ｃｈ２掛算回路１１と、Ｃｈ２増幅回路１２と、Ｃｈ２出力トランス１３と、Ｃｈ２導子１４とが順次接続されて構成される。
前記Ｃｈ２掛算回路１１には、Ｃｈ２変調用発振周波数設定ツマミ１５が接続されたＣｈ２振幅変調用発振器１６が追加して接続される。
【００１９】
Ｃｈ１・Ｃｈ２搬送波発振器２・１０は、搬送波を発振するものである。
Ｃｈ１・Ｃｈ２搬送波発振器２・１０の発振周波数はＣｈ１・Ｃｈ２搬送波発振周波数設定ツマミ１・９で決められる。
【００２０】
Ｃｈ１・Ｃｈ２振幅変調用発振器８・１６は、振幅変調用の振幅変調波を発振するものである。
Ｃｈ１・Ｃｈ２振幅変調用発振器８・１６の発振周波数はＣｈ１・Ｃｈ２変調用発振周波数設定ツマミ７・１５で決められる。
【００２１】
Ｃｈ１・Ｃｈ２掛算回路３・１１は、前記した各搬送波をそれぞれに前記振幅変調波で変調するものである。
Ｃｈ１・Ｃｈ２増幅回路４・１２は、変調された搬送波を電力増幅するものである。
【００２２】
Ｃｈ１・Ｃｈ２出力トランス５・１３は、電力増幅された搬送波を電圧変換すると共に１次側（＝入力側）と２次側（＝出力側）の電気絶縁を図るものである。
【００２３】
一対のＣｈ１導子６と、一対のＣｈ２導子１４は、人体患部における通電路が互いに交差するように該人体表面に装着し、患部に変調された搬送波を通電するものである。
【００２４】
使用に際しては、Ｃｈ１の一方・他方導子６ａ・６ｂを、患部をはさむよう互いに間隔をあけて装着し一つ目の通電経路を作り、次に、Ｃｈ２の一方・他方導子１４ａ・１４ｂを、一つ目の通電経路と交叉させ且つ患部をはさむように装着し、二つ目の通電経路を作る。
【００２５】
実施例の干渉低周波治療器１７を作動させ上述の二つの経路に通電する。
図２は、干渉による刺激発生状態を説明する図であり、あるインピーダンスを有す平面（＝人体表面）に２組の導子（ｃｈ１の導子６ａ・６ｂ、ｃｈ２の導子１４ａ・１４ｂ）を装着し電流を流している状態を示す。
この図２では、ｃｈ１の導子６ａ・６ｂ、ｃｈ２の導子１４ａ・１４ｂのいずれの導子も＋導子から−導子に電流が流れている場合を想定しており、図２の二個通電経路の電流が互いに直交する部分（患部）はその直交のため、二つのチャンネル（＝ｃｈ１、ｃｈ２）の電流が影響し合う程度は低い。
【００２６】
しかし、他の部分（＝図２中▲１▼〜▲４▼で示す楕円形点線で囲まれた部分）ではｃｈ１とｃｈ２の電流の成す角度が直角でないため、影響し合うことになる。
図２中▲１▼、▲３▼で示す楕円形点線で囲まれた部分では、お互いの電流を打ち消す方向に電流のベクトルが向いているため、電流が流れやすい部位となる。
図２中▲２▼、▲４▼で示す楕円形点線で囲まれた部分では電流を強める方向に電流のベクトルが向いているため、電流が流れにくい部位となる。
【００２７】
従ってｃｈ１とｃｈ２の各チャンネルから出力される搬送波（＝正弦波）の周波数が互いに異なると、電流の流れ易い部位と流れ難い部位がその搬送波周波数の差の周波数で入れ替わるため、この変化が刺激として感じられる。図２中▲１▼▲２▼▲３▼▲４▼で示す楕円形点線で囲まれた部位で刺激が最も強くなる。
【００２８】
又、図３は、振幅変調した搬送波による刺激発生状態を説明する図であり、あるインピーダンスを有す平面に２組の導子（ｃｈ１の導子６ａ・６ｂ、ｃｈ２の導子１４ａ・１４ｂ）を装着し電流を流している時の電流密度分布状態を示す。導子に近い部位は電流密度が高い状態となる。
【００２９】
図２の▲１▼〜▲４▼で示す楕円形点線で囲まれた部位では電流の成す角度の違いが生じると述べたが、図３でも図２同様に同部位に電流の成す角度の違いが生じるが、ここで、ｃｈ１とｃｈ２の電流が全く同一波形（＝同期した同一周波数）である場合を考えると、図２の▲１▼〜▲４▼で示す楕円形点線で囲まれた部位に前述した電流の変化は生じないため、刺激となることは無い。即ち、図２の▲１▼〜▲４▼の部位に刺激は発生しない。
しかし、導子周辺の電流密度の高い部位には振幅変調による刺激を感じる。
【００３０】
前記二つの経路に通電する際には各ツマミを以下のように設定する。
第１具体例では、先ず、Ｃｈ１搬送波発振周波数設定ツマミ１を４０００Ｈｚに設定し、続いて、Ｃｈ１変調用発振周波数設定ツマミ７を５０Ｈｚに設定する。
【００３１】
搬送波は１０００Ｈｚ乃至１００００Ｈｚの間の、任意の周波数に設定でき、振幅変調波は１乃至１００Ｈｚの間の任意の周波数に設定できる。
Ｃｈ１掛算回路３で４０００Ｈｚの搬送波を５０Ｈｚの振幅変調波をもって変調し、振幅変調された４０００Ｈｚの搬送波を作る。
【００３２】
次に、Ｃｈ２搬送波発振周波数設定ツマミを３９５０Ｈｚに設定し、続いて、Ｃｈ２変調用発振周波数設定ツマミを５０Ｈｚに設定する。Ｃｈ２掛算回路１１で３９５０Ｈｚの搬送波を５０Ｈｚの振幅変調波で変調し、振幅変調された３９５０Ｈｚの搬送波を作る。
この場合、ｃｈ２振幅変調用発振器１６はｃｈ１振幅変調用発振器８と共通することもできる。
【００３３】
変調された４０００Ｈｚの搬送波を、Ｃｈ１増幅回路４で増幅し、Ｃｈ１出力トランス５で電圧変換し、Ｃｈ１導子６を介して患部へ付与し通電する。
他方、変調された３９５０Ｈｚの搬送波を、Ｃｈ２増幅回路１２で増幅し、Ｃｈ２出力トランス１３で電圧変換し、前記Ｃｈ１電源１９による通電とは患部にあって交差するように、Ｃｈ２導子１４を介して付与し通電する。
【００３４】
二つの変調された搬送波を人体患部に付与通電して、該人体患部に差の周波数５０Ｈｚの干渉波を発生させ干渉刺激を与えるとともに、振幅変調による５０Ｈｚの変調刺激も、導子装着部位に与える。（図４参照）
【００３５】
上述のように各搬送波を変調して通電し、干渉による刺激と、搬送波の振幅変調による刺激とを患部と導子装着部位に併せ与える。干渉刺激は二つの電流の交叉部位（＝図４中、▲１▼▲２▼▲３▼▲４▼で示す楕円形点線で囲まれた部位）に生じ、振幅変調による刺激は各導子周囲（＝図４中、導子の周りに記載の楕円形点線で囲まれた部位）に生じるため、広範囲な面積を同時に治療することが出来る。
【００３６】
第２具体例では、先ず、Ｃｈ１搬送波発振周波数設定ツマミ１を４０００Ｈｚに設定し、続いて、Ｃｈ１変調用発振周波数設定ツマミ７を５０Ｈｚに設定し、Ｃｈ１掛算回路３で５０Ｈｚの振幅変調波をもって前記搬送波を変調し、４０００Ｈｚの変調された搬送波を作る。
【００３７】
次に、Ｃｈ２搬送波発振周波数設定ツマミ９を４０００Ｈｚに設定し、続いて、Ｃｈ２変調用発振周波数設定ツマミ１５を４５Ｈｚに設定し、Ｃｈ２掛算回路１１で４５Ｈｚの振幅変調波をもって前記搬送波を変調し、４０００Ｈｚの変調された搬送波を作る。
【００３８】
Ｃｈ１電源１９は、変調された４０００Ｈｚの搬送波を増幅及び昇圧し、人体へ通電し、Ｃｈ２電源２０は、変調された４０００Ｈｚの搬送波を増幅及び昇圧し、人体へ前記通電経路とは交差させて通電する。
【００３９】
２個電源１９・２０による二つの変調された搬送波を人体患部へ通電し、且つ、振幅変調の周波数を５０Ｈｚ及び４５Ｈｚに設定したことにより、振幅変調による刺激は各導子周囲に生じ、更に二つの電流の交叉部位（＝図５中、丸数字１、２、３、４で示す楕円形点線で囲まれた部位）には振幅変調周波数の５０Ｈｚ、４５Ｈｚ及びその差である５Ｈｚの変化が生じる。（図５参照）
【００４０】
そのため、広範囲な面積を同時に治療することが出来ると共に、５Ｈｚという別の周波数の刺激が生じ、心地よさが向上し、刺激に対する慣れが起こりにくくなる。
【００４１】
第３具体例では、先ず、Ｃｈ１搬送波発振周波数設定ツマミ１を４０００Ｈｚに設定し、続いて、Ｃｈ１変調用発振周波数設定ツマミ７を５０Ｈｚに設定する。
【００４２】
Ｃｈ１掛算回路３で４０００Ｈｚの搬送波を５０Ｈｚの振幅変調波をもって変調し、振幅変調された４０００Ｈｚの搬送波を作る。
【００４３】
次に、Ｃｈ２搬送波発振周波数設定ツマミを３９９９．５Ｈｚに設定し、続いて、Ｃｈ２変調用発振周波数設定ツマミを５０Ｈｚに設定する。Ｃｈ２掛算回路１１で３９９９．５Ｈｚの搬送波を５０Ｈｚの振幅変調波で変調し、振幅変調された３９９９．５Ｈｚの搬送波を作る。
この場合、ｃｈ２振幅変調用発振器１６はｃｈ１振幅変調用発振器８と共通することもできる。
【００４４】
変調された４０００Ｈｚの搬送波を、Ｃｈ１増幅回路４で増幅し、Ｃｈ１出力トランス５で電圧変換し、人体へ付与し通電する。
他方、変調された３９９９．５Ｈｚの搬送波を、Ｃｈ２増幅回路１２で増幅し、Ｃｈ２出力トランス１３で電圧変換し、前記Ｃｈ１電源１９による通電とは患部にあって交差するように付与し通電する。
【００４５】
二つの変調された搬送波を人体患部に付与通電して、該患部に差の周波数０．５Ｈｚの干渉刺激を発生させるとともに、振幅変調による５０Ｈｚの変調刺激も、導子装着部に与える。（図６参照）
【００４６】
この設定の場合、振幅変調による刺激は各導子周囲に生じ、更に搬送波の周波数差が０．５Ｈｚあるため、電流の交叉部位（＝図６中、▲１▼▲２▼▲３▼▲４▼で示す楕円形点線で囲まれた部位）を中心に刺激がゆっくりと移動する感じを得ることが出来る。
【００４７】
第４具体例では、先ず、Ｃｈ１搬送波発振周波数設定ツマミ１を４０００Ｈｚに設定し、続いて、Ｃｈ１変調用発振周波数設定ツマミ７を５０Ｈｚに設定する。
【００４８】
Ｃｈ１掛算回路３で４０００Ｈｚの搬送波を５０Ｈｚの振幅変調波をもって変調し、振幅変調された４０００Ｈｚの搬送波を作る。
【００４９】
次に、Ｃｈ２搬送波発振周波数設定ツマミを３９７０Ｈｚに設定し、続いて、Ｃｈ２変調用発振周波数設定ツマミを５１Ｈｚに設定する。Ｃｈ２掛算回路１１で３９７０Ｈｚの搬送波を５１Ｈｚの振幅変調波で変調し、振幅変調された３９７０Ｈｚの搬送波を作る。
【００５０】
変調された４０００Ｈｚの搬送波を、Ｃｈ１増幅回路４で増幅し、Ｃｈ１出力トランス５で電圧変換し、人体へ付与し通電する。
他方、変調された３９７０Ｈｚの搬送波を、Ｃｈ２増幅回路１２で増幅し、Ｃｈ２出力トランス１３で電圧変換し、前記Ｃｈ１電源１９による通電とは患部にあって交差するように付与し通電する。
【００５１】
二つの変調された搬送波を人体に付与通電して、該患部に差の周波数３０Ｈｚの干渉刺激を発生させるとともに、振幅変調による５０Ｈｚと５１Ｈｚの変調刺激も、導子装着部に与える。（図７参照）
【００５２】
この設定の場合、振幅変調による刺激は各導子周囲に生じ、更に搬送波の周波数差が３０Ｈｚあるため、電流の交叉部位（＝図７中、▲１▼▲２▼▲３▼▲４▼で示す楕円形点線で囲まれた部位）にも刺激が生じる。その上、振幅変調の周波数が１Ｈｚ異なることによるゆっくりと移動する刺激（＝図７中、▲５▼▲６▼▲７▼▲８▼で示す楕円形点線で囲まれた部位）も付与出来る。
【００５３】
【発明の効果】
本発明は、二対以上のＣｈ１・Ｃｈ２導子６・１４から出力される搬送波の周波数を異なる周波数とし体内に干渉刺激を与え、更に、この搬送波に振幅変調を行い、変調による刺激も併せ付与し、更に、振幅変調の変調周波数を二対以上のＣｈ１・Ｃｈ２導子（６）・（１４）で互いに異なる周波数に各変調用発振周波数設定器で設定し、前記振幅変調周波数の差による刺激も体内に生じさせるものである。前記干渉刺激は二つの電流の交叉部位に生じ、振幅変調による刺激は各導子周囲に生じ、更に、振幅変調周波数の差による刺激が二つの電流の交叉部位に生じるため、広範囲な面積を同時に治療することが出来、好都合である。
【００５５】
更に、二つの電流の交叉部位には振幅変調周波数の互いの差である「差の周波数」の変化が生じるため、広範囲な面積を同時に治療することが出来ると共に、「差の周波数」という別の周波数の刺激が生じ、通電刺激による心地よさが向上し、刺激に対する慣れが起こりにくくなり、好都合である。
【００５７】
本発明は、二対以上の導子６・１４から出力される搬送波の差の周波数と、前記搬送波に係る振幅変調波の周波数とを異なる周波数に設定するものである。
干渉波の周波数と振幅変調波の周波数を個別に設定できるため、同時に複数の周波数（＝干渉波の周波数と、振幅変調波の周波数）による通電刺激を人体に与えることができ、通電刺激に対する慣れを防止し通電刺激を継続付与でき、好都合である。
【００５８】
更に、本発明によれば、従来装置では十分な通電刺激が得られないため採用されていなかった３Ｈｚ以下の低い周波数の干渉刺激に、人体に感じる刺激を与えることのできる振幅変調による刺激を併用させるように設定できる。
【００５９】
上記設定による電流を人体患部へ付与通電すれば、Ｃｈ１・Ｃｈ２導子６・１４周辺に生じる振幅変調波刺激が、干渉波の周波数で変化し、刺激部位がゆっくり回転移動した感覚（刺激位置の移動感）を生じさせ、従来技術の機器による刺激感覚より、慣れが生じにくく気持ちの良い刺激を人体患部に付与でき、更に、通電電流の増減が無いため、導子部での電流密度上昇による火傷の心配がなく、好都合である。
【００６０】
本発明は、二対以上のＣｈ１・Ｃｈ２導子（６）・（１４）から出力される搬送波の周波数の差と、前記振幅変調周波数の差が異なるように前記振幅変調周波数を設定するものであるから、Ｃｈ１・Ｃｈ２導子６・１４より出力される各振幅変調波の差の周波数が、患部において干渉刺激に回転ベクトルを生じさせ、通電刺激の変化として感じることができ、搬送波の周波数の差による干渉刺激とは異なる新たな刺激感を生み出すことができ、好都合である。
【図面の簡単な説明】
【図１】本発明の実施例のブロック図である。
【図２】本発明の実施例の患部における干渉電流による刺激発生状態を示す図である。
【図３】本発明の実施例の患部における振幅変調した搬送波による刺激発生状態を示す図である。
【図４】本発明の実施例の患部における干渉刺激と振幅変調刺激を併用した状態を示す図である。
【図５】本発明の実施例の患部における二個振幅変調波の周波数を互いに異なる数値に設定した刺激状態を示す図である。
【図６】本発明の実施例の患部における二個搬送波の差の周波数と振幅変調波の周波数とが異なる場合の刺激状態を示す図である。
【図７】本発明の実施例の患部における二個振幅変調波の周波数が互いに異なる場合の刺激状態を示す図である。
【符号の説明】
６    Ｃｈ１導子
１４    Ｃｈ２導子
１７    干渉低周波治療器
【図１】
0004522008.tif 000002
【図２】
0004522008.tif 000003
【図３】
0004522008.tif 000004
【図４】
0004522008.tif 000005
【図５】
0004522008.tif 000006
【図６】
0004522008.tif 000007
【図７】
0004522008.tif 000008